(57)【特許請求の範囲】
【請求項１】
生体組織を穿孔するために該生体組織の一部を切除する生体組織切除器具であって、
円筒状をなし、該円筒状の先端の周縁に円環状の刃先を有する刃部と、
軸方向の先端に尖頭部を有し、前記尖頭部を前記刃部の刃先の内側から出没させるように、前記刃部内に軸方向に移動可能に保持された穿孔部とを備え、
前記刃部の刃先は、それぞれ前記円筒状の周縁に沿って軸方向に前記刃部の先端側に凸の弓形状に湾曲する複数の湾曲部を有し、
前記尖頭部は、前記刃部の刃先から外方へ突出した状態で軸方向に該刃部の刃先と対向するように配置された第２の刃先を有し、前記第２の刃先は、前記刃部の刃先から外方へ突出した状態から前記刃部の刃先の内部へ移動する際に該刃部の刃先の内側と摺接して、前記刃部の刃先との間で生体組織を切断することを特徴とする生体組織切除器具。
【請求項２】
前記刃部の刃先は、前記複数の湾曲部が前記円筒状の周縁に沿って等間隔で配置されていることを特徴とする請求項１に記載の生体組織切除器具。
【請求項３】
前記第２の刃先はその周縁に沿って軸方向に湾曲していることを特徴とする請求項１又は２に記載の生体組織切除器具。
【請求項４】
前記尖頭部は、その頂点を前記軸方向の先端側に配置した円錐形状をなし、前記第２の刃先が、前記円錐形状の底面の周縁に設けられていることを特徴とする請求項１乃至３のいずれかに記載の生体組織切除器具。
【発明の詳細な説明】
【技術分野】
【０００１】
本発明は、皮膚を含む生体組織の一部を生体から切除するための生体組織切除器具に関する。
【背景技術】
【０００２】
従来から、医療現場においては生体の皮膚を含む生体組織（以下、本願においては単に「組織」という）を診断、治療又は検査の目的で、組織の一部を切除又は採取するための生体組織切除器具が用いられている。
【０００３】
このような生体組織切除器具の例としては、円筒状の刃先を備え、当該刃先により組織の一部を切除するようにしている（例えば、特許文献１を参照）。
【０００４】
図９で示すように、このような従来の生体組織切除器具１００は、円筒状の柄部１０１及び刃部１０２とから成り、刃部１０２の円環状の刃先を組織面１０３に対して垂直に押し当てて、刃部１０２を回転させることで組織を円形に切り取るようになっている。
【０００５】
しかしながら、円環状の刃先を組織に押し付ける際、柄部１０１の操作による押圧力が円形に沿って分散されるため、組織の弾力性に打ち勝つには相応の力が必要となり操作し難いことがあった。
【０００６】
そのため、柄部１１の軸線方向に対し直交している刃部１０２の刃先の先端平面を、図１０（ａ）に示すように傾斜させたり、若しくは図１０（ｂ）に示すように波形にすることで、円形に切除する組織の一部に先ず押圧力が集中させるようにした生体組織切除器具も知られている（例えば、特許文献２を参照）。
【先行技術文献】
【特許文献】
【０００７】
【特許文献１】特開２０００−１２６１９６号公報
【特許文献２】特開２００６−１４９８６０号公報
【発明の概要】
【発明が解決しようとする課題】
【０００８】
しかし、図１０（ａ）の切除器具の場合、組織に切り込みを入れる際、刃先１０２の傾斜の分だけ切り込みが長くなって、必要以上に組織の深くまで切除する虞があり、力の入れ加減が難しい。
【０００９】
また、図１０（ｂ）の切除器具の場合、波形の刃先１０２の先端を組織に突き刺してから回転させるときの組織からの抵抗により、綺麗な円形での切除は難しく組織の切断面が一様でなくなるという欠点がある。
【００１０】
本発明は、このような従来技術の課題に鑑みて、円環状の刃先での切れ味を向上させた生体組織切除器具を提供することを目的とする。
【課題を解決するための手段】
【００１１】
本発明は、上記課題を解決するために、円筒状の刃部の先端を生体組織に当てて前記刃部の円筒内に摘出される組織を切除する生体組織切除器具であって、前記刃部の円環状の刃先は、前記刃部の軸方向に沿って弓形状の曲線による凹凸で反りを形成する湾曲部を有し、前記湾曲部は前記刃先の円周上に連続して均等に複数配される生体組織切除器具である。この場合に、複数の前記湾曲部の曲率は全て同一であるとよい。
【００１２】
また、前記刃部の中空内を軸方向に移動して前記刃部から外部に突出する押出部材を備えることで、切除後に刃先内に付着した組織片を容易に取り除くことができる。
【００１３】
さらに、前記刃先の内部から出没自在な穿孔部を備えた生体組織切除器具にあっては、前記穿孔部の前記刃先と対向する端面の周囲には、前記穿孔部が前記刃先の内部を移動する際に、前記刃先の内側と接する第２の刃部を設けるとよい。
【発明の効果】
【００１４】
本発明による生体組織切除器具は、組織に当てた刃部を回転させたとき、刃部の円環状の刃先に設けた複数の弓形状の凹凸がそれぞれ反りとして作用するため、切れ味よく組織を切除でき操作性が向上する。
【図面の簡単な説明】
【００１５】
【図１】本発明に係る第１実施態様の生体組織切除器具の全体構成を側面図で示す。
【図２】図１の生体組織切除器具における刃部の側断面図（ａ）及び平面図（ｂ）をそれぞれ示す。
【図３】本発明に係る第２実施態様の生体組織切除器具の外観図を示す。
【図４】図３の生体組織切除器具における押出部材の外観図を示す。
【図５】図３の生体組織切除器具における刃部の側断面図（ａ）及び平面図（ｂ）をそれぞれ示す。
【図６】本発明に係る第３実施形態の生体組織切除器具の全体構成を側面図で示す。
【図７】本発明に係る第３実施形態の生体組織切除器具による生体組織切除動作を要部側面図で示す。
【図８】第３実施形態の生体組織切除器具の変形例の要部を側面図で示す。
【図９】従来の一般的な生体組織切除器具の構成を説明する図を示す。
【図１０】従来の生体組織切除器具における刃部の刃先の形状例を側断面図で示す。
【発明を実施するための形態】
【００１６】
以下、本発明の実施の形態について、図面を参照しながら詳細に説明する。
【００１７】
［第１の実施形態］
図１は、本発明に係る生体組織切除器具を示す全体正面図である。図１に示すように、本実施形態の生体組織切除器具１０は、把持部１と、この把持部１の端部に設けられた刃部ホルダ２と、その刃部ホルダ２の先端に位置する刃部３と、を略直線上に固定して配置している。
【００１８】
図２は、（ａ）部で刃部３の側断面図を示し、（ｂ）部で刃部３の平面図を示している。刃部３は、円筒形状に形成されて、刃先３Ａは、外周面の径が先端に向かうほど刃部本体３Ｂの径ｄより小さくなるように外刃付けされている。
【００１９】
円環状の刃先３Ａには、円周に沿って等間隔に配置された３つの湾曲部４を有している。湾曲部４は、刃部３の軸方向に沿って弓形状のなだらかな曲線で形成される凹凸であり、これにより刃先３Ａの円周上に複数の反りが形成される。この場合、各々の反りの曲率、すなわち湾曲部４の弓形状の曲率は同一にするのが好ましい。
【００２０】
このように、刃先３Ａに反りを形成する湾曲部４を設けることで、刃先３Ａを組織面に垂直に押し当てたとき、湾曲部４では湾曲の頂点４ｐから谷４ｒに向かうなだらかな曲線部分である反りによって、滑らかに組織に切れ込みを入れることができる。刃先３Ａの円周上にこのような反りを形成するためには、刃先３Ａに設ける湾曲部４の最大数は、刃先３Ａの円環の径に応じて決定されなければならない。例えば、本例での刃先３Ａの円環の径は６ｍｍであるが、この径寸法の刃先３Ａであれば、最大４つまで湾曲部４を設けることができる。しかし、４つ以上であると刃先３Ａの円周上に反りが形成できず、図１０（ｂ）で説明した波形の刃先となり組織に滑らかに切り込みを入れることができなくなる。
【００２１】
把持部１は、使用者が使用の際に把持する部位であり、金属又は樹脂からなる真っ直ぐな棒状の部材であり、把持部１の周囲には、使用者が把持して操作する際に指が滑りにくいように、ローレット加工や梨地加工が施されている。
【００２２】
刃部ホルダ２は、製造時に金型内へ刃部３を装填した後、樹脂を注入して刃部３を溶融樹脂で包んで固化させることで、刃部３と一体化された部材である。この場合、把持部１も同じ樹脂で構成して、金型内で刃部ホルダ２と一体に成型してもよい。
【００２３】
上記構成による生体組織切除器具１０は、筒状の刃部３を組織に押し当てて把持部１を回転させることで刃部３も回転し、刃先３Ａでは各湾曲部４の頂点４ｐから谷４ｒの部分で形成される反りによって、組織には刃先３Ａの円に沿って同じ深さで切り込みを入れることができる。このとき、等間隔で設けられた複数の反りにより、把持部１の回転が滑らかに刃部３に伝達されるため操作性も良い。
【００２４】
そして、刃部３の円筒内に摘出されて切除された組織片は刃先３Ａの内側に付着し、生体組織切除器具１０を組織から離すと、組織片が組織から切除されて採取が可能となる。
【００２５】
このような生体組織切除器具１０は、例えば、黒子の除去のような施術や検査試料として組織の一部を採取する場合に使用される。
【００２６】
［第２の実施形態］
上記の生体組織切除器具１０は、切除されて刃先の内側に付着した組織片を取り出すために、ピンセット等を刃部３内へ挿入して組織片を摘出する作業が必要なことがある。このような摘出には手間が掛り、特に、刃先３Ａの円環の径が小さい生体組織切除器具１０の場合には、極めて面倒な作業となる。
【００２７】
そこで、刃先内に付着した組織片を素早く除去することができる生体組織切除器具での実施形態を説明する。
【００２８】
図３に示す生体組織切除器具２０は、先端に刃部５を備える円筒状のカバー部６と、組み立て時にカバー部６内に挿入されて軸方向に摺動自在な押出部材７と、カバー部６と押出部材７との間で係合するバネ部材８（図４に図示）と、から構成されている。
【００２９】
押出部材７は、樹脂による一体成型品であり、図４に示すように、棒状に形成された軸体１１と、押出部１２と、ロック部１３と、から構成されている。軸体１１から長手方向に分岐形成されているロック部１３は、軸体１１から遊離している端部を自身の弾性力で軸体１１から離れた位置に保持させている。そして、ロック部１３には、この自由側の端部に突起１４が設けられている。また、押出部材７には、挿通されるコイル状のバネ部材８を係止する段差１５が軸体１１に形成されている。
【００３０】
カバー部６は、円筒内に押出部材７が挿入されたとき、ロック部１３の突起１４と係合する２通りのロック孔１５，１６が設けられている。
【００３１】
刃部５は、カバー部６の成型時に、金型内に装填された後、注入される溶融樹脂で包んで固化させることで、カバー６と一体に構成される。図５は、（ａ）部で刃部５の側断面図を示し、（ｂ）部で刃部５の平面図を示している。刃部５は、円筒形状に形成されて、刃先５Ａは、その径が先端に向かうほど刃部本体５Ｂの径より小さくなるように外刃付けされている。
【００３２】
円環状の刃先５Ａには、円周に沿って均等に複数の湾曲部９が設けられている。本例での刃先５Ａの先端の円環の径は３ｍｍに設定しており、このように小径の場合には、弓形状のなだらかな曲線形状である湾曲部９の数は３個程度が限度で図５は２個の例で示している。
【００３３】
上記構成による生体組織切除器具２０は、通常は、図３（ａ）で示すように、突起１４がロック孔１５に係止して、押出部材７の先端の押出部１２は円筒状の刃部５の内部には進出していない状態にある。この状態で、刃部５を組織に押し当ててカバー部６を回して刃部５を回転させると、刃先５Ａでは、湾曲部９の頂点９ｐから谷９ｒの部分で形成される反りが組織に円状に切り込むことで、刃部３の円筒内には、摘出されて切除された組織片は刃先５Ａの内側に付着する。
【００３４】
そして、刃先５Ａの内側に付着している組織片を取り出すには、突起１４を押すと同時に、押出部材７の後端を刃先５Ａに向けて、バネ部材８のバネ力に抗して移動するよう押し込む。これにより、ロック部１３は、自身の弾性力で保持されていた突起１４のロック孔１５での係止が外れて、カバー部６内を移動する。そして、突起１４がロック孔１６まで到達すると、ロック部１３は弾性力で軸体１１から離間する方向に復帰して、突起１４はロック孔１６に係止される。
【００３５】
突起１４がロック孔１６に係止するまで押出部材７が移動すると、図３（ｂ）で示すように押出部１２が刃部５Ａの先端から外方に突出するため、刃先５Ａの内側に付着している組織片は外部に押し出されて取り出される。そして、ロック孔１６に係止されている突起１４をカバー部６の内側に向けて押し込むと、ロック孔１６との係止が外れて、バネ部材８の復帰力で押出部材７は突起１４が再びロック孔１５に係止されるまで移動し、押出部１３は刃部５の内部から退出する。
【００３６】
［第３の実施形態］
次に、医療施術時に血管に孔を空けるときに使用する生体組織切除器具であるパンチャー３０での実施形態を説明する。図６は、パンチャー３０の構成を示しており、円筒状の外装ケース１７と、外装ケース１７内に保持されている円筒状の刃部１８と、刃部１８内に保持されている穿孔部１９と、を備える。
【００３７】
外装ケース１７は、側面にオペレータの指が入る指掛け３２を有する。刃部１８は、先端に円環状の刃先１８Ａを備えて、刃先１８Ａには、円周に沿って等間隔に配置された３つの湾曲部２１が形成されている。湾曲部２１は、図７に示すように、刃部１８の軸方向に沿って弓形状のなだらかな曲線で形成される凹凸であり、これにより刃先１８Ａの円周上に複数の反りが形成される。
【００３８】
円柱体である穿孔部１９は、先端に円錐状の尖頭部１９Ａを有しており、反対側の端部は外装ケース１７にピン３１で支持されて固定されている。また、刃部１８も穿孔部１９と共に、ピン３１によって外装ケース１７に支持されている。
【００３９】
刃部１８は、その長手方向に沿っている細長形状の長穴１８Ｂを有しており、ピン３１は、この長穴１８Ｂに摺動自在に嵌合している。ピン３１は、バネ２４により付勢されて、通常は長穴１８Ｂの下部に係止している。この状態では、図７（ａ）に示すように、穿孔部１９は、先端の尖頭部１９Ａを含む下端部が刃先１８Ａから外方へ突出している。
【００４０】
この状態でオペレータは、パンチャー３０全体を血管３１に押し当てて、尖頭部１９Ａで血管表面３１を突き破り穿孔部１９の先端を突入させる。そして、指掛け３２で外装ケース１７を保持しながら刃部１８の上端をバネ２４の付勢に抗して手動で押し下げるとと、刃部１８は、ピン３１が長穴１８Ｂの上部に係止するまで移動して、図７（ｃ）に示すように、尖頭部１９Ａは刃先１８Ａの円環内に収納される。こうして、尖頭部１９Ａが刃先１８Ａ内に納まる過程で、血管３１の尖頭部１９Ａが突き刺した血管表面３１の組織が切除されて穿孔される。
【００４１】
図８は、図６のパンチャー３０の変形例を示すもので、尖頭部１９Ａには、刃部１８が下降するときに、その円環状の刃先１８Ａの内側と接する上縁部に湾曲部２３を有する第２の刃部２２を形成している。このような構成のパンチャー３０においては、尖頭部１９Ａが刃先１８Ａの円環内に収納される際、尖頭部１９Ａの刃部２２は刃先１８Ａの内側を摺動し、尖頭部１９Ａが突き刺した血管表面３１の表面組織を綺麗に切除して血管３１の表面を刳り抜くことができる。図では、刃先１８Ａが外刃形状で、刃部２２を内刃形状としているが、刃先１８Ａを内刃形状、刃部２２を外刃形状としてもよい。
【００４２】
以上、本発明の実施形態について説明したが、本発明は上記実施形態に限定されるものではなく、本発明の趣旨に基づき種々の変形が可能であり、これらを本発明の範囲から排除するものではない。例えば、湾曲部４の弓形状の曲率は、それぞれで反りが確保されていれば同一でなくてもよい。また、刃先の形状も、内周面の径が先端に向かう程、刃部本体の径より小さくなるような、内刃付けの形状であってもよい。
【産業上の利用可能性】
【００４３】
本発明は、生体の診断、治療又は検査等の医療に用いられる生体組織切除器具に関するものであり、産業上の利用可能性を有する。
【符号の説明】
【００４４】
３      刃部
３Ａ    刃先
４      湾曲部
５      刃部
５Ａ    刃先
９      湾曲部
１２      押出部
１８    刃部
１８Ａ  刃先
１９    穿孔部
２１    湾曲部
２２    第２の刃部
１０、２０、３０      生体組織切除器具
【図１】
0006343293.tif 000002
【図２】
0006343293.tif 000003
【図３】
0006343293.tif 000004
【図４】
0006343293.tif 000005
【図５】
0006343293.tif 000006
【図６】
0006343293.tif 000007
【図７】
0006343293.tif 000008
【図８】
0006343293.tif 000009
【図９】
0006343293.tif 000010
【図１０】
0006343293.tif 000011